【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
送信メールサーバーが、電子メールメッセージを処理する方法であって、
添付ファイルを含む電子メールメッセージを受け取り、
添付ファイルを電子メールメッセージから取り除き、
添付ファイルを添付ファイル保存場所に保存し、
電子メールメッセージにハイパーリンクを挿入し、前記ハイパーリンクが添付ファイル保存場所に関連付けされており、添付ファイルを保存するサーバに認証情報を送信するよう構成されている
ことを含む方法。
【請求項２】
前記ハイパーリンクが、ハイパーリンクにアクセスすることで、添付ファイルを保存しているサーバにパスワードを送信するよう構成されている、請求項１に記載の方法。
【請求項３】
前記添付ファイル保存場所がウェブサーバ上の場所であり、ハイパーリンクにウェブサーバのアドレスが含まれる、請求項１に記載の方法。
【請求項４】
送信メールサーバーが、電子メールメッセージを処理する方法であって、
添付ファイルを含む電子メールメッセージを受け取り、
添付ファイルを取り除くべきか否かを判定し、
前記判定が肯定判定のとき、添付ファイルを添付ファイル保存場所に保存し、
添付ファイル保存場所から添付ファイルを取得するように構成された実行可能ファイルをメッセージに挿入すること、
を含む方法。
【請求項５】
前記実行可能ファイルが、受信者に認証情報を要求するように構成されている、請求項４に記載の方法。
【請求項６】
前記実行可能ファイルが、添付ファイル保存場所からの添付ファイルの取得を可能にする認証情報を含む、請求項４に記載の方法。
【請求項７】
前記添付ファイルを取り除くべきか否かの判定が、電子メールメッセージの受信者を特定することを含む、請求項４に記載の方法。
【請求項８】
前記添付ファイルを取り除くべきか否かの判定が、受信者電子メールアドレスのドメインを判定することを含む、請求項４に記載の方法。
【請求項９】
コンピュータに、プロセッサを制御して電子メールメッセージの処理を実行させるための、コンピュータによって実行可能な命令を含むプログラムであって、コンピュータに
添付ファイルを含む電子メールメッセージを受け取り、
あらかじめ定めた基準に従って添付ファイルを取り除くべきか否かを判定し、
前記判定が肯定判定のとき、添付ファイルを添付ファイル保存場所に保存すること、
を実行させるためのコンピュータプログラム。
【請求項１０】
前記コンピュータに、メッセージに添付ファイル保存場所に関連付けされたハイパーリンクを挿入することをさらに実行させるための請求項９に記載のコンピュータプログラム。
【請求項１１】
前記コンピュータに、添付ファイルの取得を可能とするように構成されたデータファイルをメッセージに挿入することをさらに実行させるための請求項９に記載のコンピュータプログラム。
【請求項１２】
前記コンピュータに、前記添付ファイルをストリーミングコンテンツに変換することをさらに実行させるための請求項９に記載のコンピュータプログラム。
【請求項１３】
前記添付ファイルを取り除くべきか否かの判定が、受信者メールアドレスのドメインを判定することを含む、請求項９に記載のコンピュータプログラム。
【請求項１４】
前記添付ファイルを取り除くべきか否かの判定が、添付ファイルのタイプを判定することを含む、請求項９に記載のコンピュータプログラム。
【請求項１５】
電子メールメッセージを処理するシステムであって、
添付ファイルを含む電子メールメッセージを受け取り、
添付ファイルを取り除くべきか否かを判定し、
前記判定が肯定判定のとき添付ファイルを添付ファイル保存場所に保存するメッセージ・パーサと、
添付ファイル参照の生成を管理するように構成された添付ファイル参照モジュールと、
を備え、
前記添付ファイル参照モジュールは、添付ファイル保存場所に関連付けし、添付ファイルを保存するサーバに認証情報を送信するように構成された前記添付ファイル参照を生成し、
前記メッセージパーサは、前記添付ファイル参照モジュールによって生成された前記添付ファイル参照を添付ファイルを取り除いた前記電子メールメッセージに挿入するよう構成される、
システム。
【請求項１６】
前記添付ファイル参照がハイパーリンクである、請求項１５に記載のシステム。
【請求項１７】
前記添付ファイルを取り除くべきか否かの判定が、添付ファイルのサイズを判定することを含む、請求項１５に記載のシステム。
【請求項１８】
前記添付ファイルを取り除くべきか否かの判定が、電子メールメッセージの送信者を特定することを含む、請求項１５に記載のシステム。
【請求項１９】
前記添付ファイルを取り除くべきか否かの判定が、添付ファイルのタイプを判定することを含む、請求項１５に記載のシステム。
【請求項２０】
前記添付ファイル参照が実行可能ファイルである、請求項１５に記載のシステム。
【請求項２１】
前記実行可能ファイルが、受信者に認証情報を要求し、受信した認証情報を、添付ファイルを保存するサーバに送信するように構成された、請求項２０に記載のシステム。
【請求項２２】
前記添付ファイルがメディアファイルであり、前記システムがさらに、添付ファイルを受信者にストリーミング送信するように構成されている、請求項１５に記載のシステム。
【請求項２３】
前記添付ファイルがテキストを含む文書であり、前記システムがさらにテキストを翻訳するように構成されている、請求項１５に記載のシステム。
【請求項２４】
受信者が添付ファイルを取得しようとするとき、添付ファイルを保存するサーバが受信者に認証情報を要求する、請求項１５に記載のシステム。
【請求項２５】
前記添付ファイル参照がデータファイルである、請求項１５に記載のシステム。
【請求項２６】
前記データファイルが、受信者コンピュータに保存されているアプリケーションによって、添付ファイルを保存するサーバから添付ファイルを取得することができるように構成されている、請求項２５に記載のシステム。
【手続補正２】
【補正対象書類名】明細書
【補正対象項目名】０００８
【補正方法】変更
【補正の内容】
【０００８】
上記課題を解決するために、請求項１に記載の発明は、送信メールサーバーが、電子メールメッセージを処理する方法であって、添付ファイルを含む電子メールメッセージを受け取り、添付ファイルを電子メールメッセージから取り除き、添付ファイルを添付ファイル保存場所に保存し、電子メールメッセージにハイパーリンクを挿入し、前記ハイパーリンクが添付ファイル保存場所に関連付けされており、添付ファイルを保存するサーバに認証情報を送信するよう構成されていることを含むことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、請求項４に記載の発明は、送信メールサーバーが、電子メールメッセージを処理する方法であって、添付ファイルを含む電子メールメッセージを受け取り、添付ファイルを取り除くべきか否かを判定し、前記判定が肯定判定のとき、添付ファイルを添付ファイル保存場所に保存し、添付ファイル保存場所から添付ファイルを取得するように構成された実行可能ファイルをメッセージに挿入すること、を含むことを特徴とする。
【手続補正５】
【補正対象書類名】明細書
【補正対象項目名】００１３
【補正方法】変更
【補正の内容】
【００１３】
請求項５に記載するように、前記実行可能ファイルが、受信者に認証情報を要求するように構成されていることを特徴とする。
【手続補正６】
【補正対象書類名】明細書
【補正対象項目名】００１４
【補正方法】変更
【補正の内容】
【００１４】
請求項６に記載するように、前記実行可能ファイルが、添付ファイル保存場所からの添付ファイルの取得を可能にする認証情報を含むことと特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項７に記載するように、前記添付ファイルを取り除くべきか否かの判定が、電子メールメッセージの受信者を特定することを含むことを特徴とする。
【手続補正１０】
【補正対象書類名】明細書
【補正対象項目名】００１８
【補正方法】変更
【補正の内容】
【００１８】
請求項８に記載するように、前記添付ファイルを取り除くべきか否かの判定が、受信者電子メールアドレスのドメインを判定することを含むことを特徴とする。
【手続補正１１】
【補正対象書類名】明細書
【補正対象項目名】００１９
【補正方法】変更
【補正の内容】
【００１９】
さらに、請求項９に記載の発明は、コンピュータに、プロセッサを制御して電子メールメッセージの処理を実行させるための、コンピュータによって実行可能な命令を含むプログラムであって、コンピュータに添付ファイルを含む電子メールメッセージを受け取り、あらかじめ定めた基準に従って添付ファイルを取り除くべきか否かを判定し、前記判定が肯定判定のとき、添付ファイルを添付ファイル保存場所に保存すること、を実行させることを特徴とする。
【手続補正１２】
【補正対象書類名】明細書
【補正対象項目名】００２０
【補正方法】変更
【補正の内容】
【００２０】
請求項１０に記載するように、前記コンピュータに、メッセージに添付ファイル保存場所に関連付けされたハイパーリンクを挿入することをさらに実行させることを特徴とする。
【手続補正１３】
【補正対象書類名】明細書
【補正対象項目名】００２１
【補正方法】変更
【補正の内容】
【００２１】
請求項１１に記載するように、前記コンピュータに、添付ファイルの取得を可能とするように構成されたデータファイルをメッセージに挿入することをさらに実行させることを特徴とする。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
請求項１２に記載するように、前記コンピュータに、前記添付ファイルをストリーミングコンテンツに変換することをさらに実行させることを特徴とする。
【手続補正１６】
【補正対象書類名】明細書
【補正対象項目名】００２４
【補正方法】変更
【補正の内容】
【００２４】
請求項１３に記載するように、前記添付ファイルを取り除くべきか否かの判定が、受信者メールアドレスのドメインを判定すること含むことを特徴とする。
【手続補正１７】
【補正対象書類名】明細書
【補正対象項目名】００２５
【補正方法】変更
【補正の内容】
【００２５】
請求項１４に記載するように、前記添付ファイルを取り除くべきか否かの判定が、添付ファイルのタイプを判定することを含むことを特徴とする。
【手続補正１８】
【補正対象書類名】明細書
【補正対象項目名】００２６
【補正方法】変更
【補正の内容】
【００２６】
さらに、請求項１５に記載の発明は、電子メールメッセージを処理するシステムであって、添付ファイルを含む電子メールメッセージを受け取り、添付ファイルを取り除くべきか否かを判定し、前記判定が肯定判定のとき添付ファイルを添付ファイル保存場所に保存するメッセージ・パーサと、添付ファイル参照の生成を管理するように構成された添付ファイル参照モジュールと、を備え、前記添付ファイル参照モジュールは、添付ファイル保存場所に関連付けし、添付ファイルを保存するサーバに認証情報を送信するように構成された前記添付ファイル参照を生成し、前記メッセージパーサは、前記添付ファイル参照モジュールによって生成された前記添付ファイル参照を添付ファイルを取り除いた前記電子メールメッセージに挿入するよう構成されることを特徴とする。
【手続補正１９】
【補正対象書類名】明細書
【補正対象項目名】００２７
【補正方法】変更
【補正の内容】
【００２７】
請求項１６に記載するように、前記添付ファイル参照がハイパーリンクであることを特徴とする。
【手続補正２０】
【補正対象書類名】明細書
【補正対象項目名】００２８
【補正方法】変更
【補正の内容】
【００２８】
請求項１７に記載するように、前記添付ファイルを取り除くべきか否かの判定が、添付ファイルのサイズを判定することを含むことを特徴とする。
【手続補正２１】
【補正対象書類名】明細書
【補正対象項目名】００２９
【補正方法】変更
【補正の内容】
【００２９】
請求項１８に記載するように、前記添付ファイルを取り除くべきか否かの判定が、電子メールメッセージの送信者を特定することを含むことを特徴とする。
【手続補正２２】
【補正対象書類名】明細書
【補正対象項目名】００３０
【補正方法】変更
【補正の内容】
【００３０】
請求項１９に記載するように、前記添付ファイルを取り除くべきか否かの判定が、添付ファイルのタイプを判定することを含むことを特徴とする。
【手続補正２３】
【補正対象書類名】明細書
【補正対象項目名】００３１
【補正方法】変更
【補正の内容】
【００３１】
請求項２０に記載するように、前記添付ファイル参照が実行可能ファイルであることを特徴とする。
【手続補正２４】
【補正対象書類名】明細書
【補正対象項目名】００３２
【補正方法】変更
【補正の内容】
【００３２】
請求項２１に記載するように、前記実行可能ファイルが、受信者に認証情報を要求し、受信した認証情報を、添付ファイルを保存するサーバに送信するように構成されたことを特徴とする。
【手続補正２５】
【補正対象書類名】明細書
【補正対象項目名】００３３
【補正方法】変更
【補正の内容】
【００３３】
請求項２２に記載するように、前記添付ファイルがメディアファイルであり、前記システムがさらに、添付ファイルを受信者にストリーミング送信するように構成されていることを特徴とする。
【手続補正２６】
【補正対象書類名】明細書
【補正対象項目名】００３４
【補正方法】変更
【補正の内容】
【００３４】
請求項２３に記載するように、前記添付ファイルがテキストを含む文書であり、前記システムがさらにテキストを翻訳するように構成されていることを特徴とする。
【手続補正２７】
【補正対象書類名】明細書
【補正対象項目名】００３５
【補正方法】変更
【補正の内容】
【００３５】
請求項２４に記載するように、受信者が添付ファイルを取得しようとするとき、添付ファイルを保存するサーバが受信者に認証情報を要求することを特徴とする。
【手続補正２８】
【補正対象書類名】明細書
【補正対象項目名】００３６
【補正方法】変更
【補正の内容】
【００３６】
請求項２５に記載するように、前記添付ファイル参照がデータファイルであることを特徴とする。
【手続補正２９】
【補正対象書類名】明細書
【補正対象項目名】００３７
【補正方法】変更
【補正の内容】
【００３７】
請求項２６に記載するように、前記データファイルが、受信者コンピュータに保存されているアプリケーションによって、添付ファイルを保存するサーバから添付ファイルを取得することができるように構成されていることを特徴とする。
【手続補正３０】
【補正対象書類名】明細書
【補正対象項目名】００３８
【補正方法】変更
【補正の内容】
【００３８】
本発明の実施形態は、電子メール添付ファイルを処理するためのシステム、方法およびコンピュータプログラムを含む。本発明の実施形態は、送信メールサーバーが、添付ファイルを含む電子メールメッセージを途中で捕捉し、添付ファイルをファイルサーバに送信する。メッセージ・パーサがメッセージから添付ファイルを取り除き、ハイパーテキストリンク、実行可能ファイルあるいはデータファイルを挿入して、それ単独で、またはユーザシステム上のアプリケーションを用いて、ファイルサーバに保存された添付ファイルのコピーに受信者を導くようにする。